(57)【要約】【課題】車輪を両側に取付けた本体には油圧シリンダーを摺動するプランジャーを備え、油圧を作用することでプランジャーが突出するようにし、そして本体から延びるレバーのハンドル操作にて任意の場所へ移動することが出来る簡易型ジャッキであって、夜間であっても車体底のジャッキアップポイントにプランジャーが当って持上げることが出来るようにした移動式簡易型ジャッキの提供。【解決手段】本体１の上面８には上方を照らすランプ９ａ，９ｂを取付け、レバー２に取着したボックス１０の電池にてランプ９ａ，９ｂを点灯し、ジャッキアップポイント１３が分かるようにする。【選択図】        図１
2004307093.tif 000002
【特許請求の範囲】
【請求項１】
車輪を両側に取付けた本体には油圧シリンダーを摺動するプランジャーを備え、油圧を作用することで該プランジャーが突出するようにし、そして本体から延びたレバーのハンドルを操作して任意の場所へ移動可能な簡易型ジャッキにおいて、上記本体上面には上方を照らすランプを取付けたことを特徴とする移動式簡易型ジャッキ。
【請求項２】
上記ランプはプランジャーの上方を照らすように取付けた請求項１記載の移動式簡易型ジャッキ。
【請求項３】
車輪を両側に取付けた本体にはリンク機構を備え、油圧を作用することでリンク機構先端に取付けた受け台を昇降動可能とし、そして本体から延びたレバーのハンドルを操作して任意の場所へ移動可能な簡易型ジャッキにおいて、上記リンク機構のリンクからアームを延ばして先端には上方を照らすランプを取付けたことを特徴とする移動式簡易型ジャッキ。
【発明の詳細な説明】
【０００１】
【発明の属する技術分野】
本発明は一般に車両を持上げる場合に使用する移動式簡易型ジャッキに関するものである。
【０００２】
【従来の技術】
ジャッキにも色々な型式があるが、本発明が対象とするジャッキは設置型ではなく、その場所を移動することが出来る移動式簡易型ジャッキである。ところで、この移動式簡易型ジャッキの使用用途は色々あるが、一般的には車両のタイヤを交換する際に、車輪が浮上するように車体を持上げることが出来る。又、車体底の部品交換、オイルの交換時にも車体を持上げて作業を行なう。
【０００３】
このような場合、移動式簡易型ジャッキを動かして車体底に配置したところで、油圧シリンダーのプランジャーを突出させる。車体はプランジャーの突出により持上げられるが、車両が比較的小さな乗用車であるならば移動式簡易型ジャッキのプランジャーが当るジャッキアップポイントを見極めることが出来るが、大型車両であるバスやトラックの場合、ジャッキアップポイントが奥深い位置にあるために見極めが容易でない。
【０００４】
特に、夜間の作業ともなれば、ジャッキアップポイントが全く分からなくて、ジャッキアップすることが出来ないといったこともある。ジャッキアップポイントを外した位置にプランジャーを押し当てるならば、車体を持上げるに必要な強度がなくて、その箇所の部品が変形したり、破損するといった事態を招く。そして、部品が破損することで一時的に持上げられた車体が急に落下して作業者がケガをすることもある。
【０００５】
【発明が解決しようとする課題】
このように、従来の移動式簡易型ジャッキには上記のごとき問題がある。本発明が解決しようとする課題はこの問題点であり、トラックやバスなどの大型車両であっても、ジャッキアップポイントを正確に把握してジャッキアップすることが出来る移動式簡易型ジャッキを提供する。
【０００６】
【課題を解決する為の手段】
本発明に係る移動式簡易型ジャッキは夜間であってもジャッキアップすることが出来るようにしたものであるが、移動式簡易型ジャッキの基本構造は従来と共通している。すなわち、本体両側に車輪を備えて移動でき、そして本体からはレバーが延び、レバー先端にはハンドルを設けている。本体には油圧シリンダーを備え、油圧シリンダーを作動することでプランジャーが突出し、又はリンク機構を介して受け台が上昇する。
【０００７】
ところで、本体の上面又はリンク機構には照明用のランプを取付け、該ランプにて上方を照らすことが出来る。特にプランジャーの上方が明るくなるように焦点を合わせている。そこで、レバー又は本体等に蓄電池を備え、レバー等の手元に備えたスイッチにてＯＮ−ＯＦＦの切り替え操作を行なうことにより、ランプを点灯したり消灯することが出来る。以下、本発明に係る実施例を図面に基づいて詳細に説明する。
【０００８】
【実施例】
図１は本発明の移動式簡易型ジャッキを示す実施例である。同図の１はジャッキ本体、２はレバー、３はハンドルを示し、本体１の両側には車輪４，４が取付けられ、該車輪４，４は本体１の後方端部に設けられている。ハンドル操作でジャッキを移動する場合には、本体１の先端部を地面から浮上させなくてはならないが、ハンドル３から手を離すならば、本体１の先端部側の底面５は地面に接する。その為に先端部底面５は平坦面と成り、ジャッキアップする際の本体１の安定性を図っている。
【０００９】
そして、この本体１には油圧シリンダー６が設けられていて、該油圧シリンダー６を摺動するプランジャー７は上方へ突出することが出来る。又、油圧シリンダー６へ作動油を送る為のポンプ（図示なし）が内蔵されているが、このポンプを駆動する手段は外部から供給するエアーが使用されている。又はレバー２を上下揺動することでポンプを駆動して作動油を油圧シリンダー６へ供給することも出来る。
【００１０】
ところで、本発明の移動式簡易型ジャッキの本体１の上面８には２個のランプ９ａ，９ｂを取付けている。このランプ９ａ，９ｂの電源はレバー２に取付けられたボックス１０内に収納している乾電池とし、ボックス１０のハンドル側にはスイッチ１１を設けている。このスイッチ１１を切り替えることで上記ランプ９ａ，９ｂが点灯したり消灯することが出来、ランプ９ａ，９ｂから照射させる明かりは本体１の上方を照らすことが出来る。特に、プランジャー７の上方に焦点を合わせて照らすようにしている。
【００１１】
図２は本発明の移動式簡易型ジャッキの使用方法を示す具体例であり、該移動式簡易型ジャッキにより車体１２を持上げることが出来る。この場合、ジャッキ本体１を車体１２の底へ移動し、プランジャー７が突出した場合に車体１２の所定箇所、すなわちジャッキアップポイント１３に当るように本体１を配置することが必要である。この本体１の配置に際して、本体上面８に取付けているランプ９ａ，９ｂを点灯して行なう。ランプ９ａ，９ｂは車体底を照らし、ジャッキアップポイント１３が作業者に分かるようにしている。
【００１２】
ジャッキアップポイント１３にプランジャー７が当るように本体１を配置したところで、油圧シリンダー６を作動して該プランジャー７を突出させるならば、車体１２は持上げられる。そして該移動式簡易型ジャッキによって車体１２を持上げて必要な作業（タイヤの交換など）が行われる。そして作業が完了したところでレバー１４を操作して油圧シリンダー６の弁を開き、作動油を抜き取って突出したピストンは降下する。プランジャー７は車体重量によって押し下げられ、油圧シリンダー内の作動油は外へ流出することが出来る。
【００１３】
図３は本発明に係る移動式簡易型ジャッキを示す別形態である。この移動式簡易型ジャッキは本体１の先端両側に車輪１５ａ，１５ｂを取付け、本体１の後方両側にも車輪１６ａ，１６ｂを設けている。先端側車輪１５ａ，１５ｂはその向きを変えることは出来ないが、後方側の車輪１６ａ，１６ｂは向きが変わることで、ハンドル操作によって本体１をあらゆる所へ移動することが出来る。
【００１４】
ところで、該移動式簡易型ジャッキは本体１にリンク機構１７を備えていて、リンク機構１７の先端には受け台１８を取付けている。リンク機構１７は油圧により立ち上がるが、受け台１８は常に水平を保ち、車体１２を持上げることが出来る。この移動式簡易型ジャッキは従来から多用されている為に、該リンク機構１７の具体的な構造及び動作の説明は省略する。
【００１５】
ところで、本発明ではこのリンク機構１７のリンク１９からアーム２０を延ばし、該アーム先端にはランプ９を取付けている。アーム２０はリンク機構１７の動きと共にその向きが変化し、照らすことが出来る領域は変わる。そこで、本体１を車体底へ移動する際に該車体底のジャッキアップポイントを照らすことが出来るように、アーム２０の向きを適当に変え得る取付け構造とすることも可能である。
【００１６】
以上述べたように、本発明の移動式簡易型ジャッキは車体底を照らすためのランプを取付けたものであり、次のような効果を得ることが出来る。
【００１７】
【発明の効果】
本発明に係る移動式簡易型ジャッキは本体にランプを備えているために、該本体を車体底に入れてジャッキアップする場合、ジャッキアップポイントがランプによって照らされる。従って、車体を持上げるジャッキアップポイントにプランジャー及び受け台が正確に当るように本体を配置出来る。ジャッキアップポイントから外れた位置に当ててジャッキアップすることで、部品が変形したり破損することが防止され、勿論、部品の破損に伴う車体の急激な落下によるケガなどの事故を未然に防ぐことが出来る。
【００１８】
従って、大型車両であるバスやトラックの車体を持上げる場合、本体を奥深い位置へ配置しなくてはならないが、ランプの明かりで本体底をてらすことが出来る為に、ジャッキアップポイントを正確に知ることが出来る。そして、夜間であっても、該ランプの明かりで本発明の移動式簡易型ジャッキを使用して作業を行なうことが可能である。
【図面の簡単な説明】
【図１】本発明に係る移動式簡易型ジャッキの実施例。
【図２】移動式簡易型ジャッキの使用例。
【図３】本発明に係る移動式簡易型ジャッキの他の実施例。
【符号の説明】
１  本体
２  レバー
３  ハンドル
４  車輪
５  底面
６  油圧シリンダー
７  プランジャー
８  上面
９  ランプ
１０  ボックス
１１  スイッチ
１２  車体
１３  ジャッキアップポイント
１４  レバー
１５  車輪
１６  車輪
１７  リンク機構
１８  受け台
１９  リンク
２０  アーム
【図１】
2004307093.tif 000003
【図２】
2004307093.tif 000004
【図３】
2004307093.tif 000005